Podtech/llm-jp-corpus-v4-ja_patent huggingface dataset:
【手続補正書】
【提出日】平成20年1月10日(2008.1.10)
【手続補正１】
【補正対象書類名】明細書
【補正対象項目名】特許請求の範囲
【補正方法】変更
【補正の内容】
【特許請求の範囲】
【請求項１】
測定及び制御システムのためのトリガ・ノードであって、
時間を管理する同期クロックと、
前記同期クロックに保持された時間と同期するための手段と、
前記測定及び制御システムのためのテスト・コントローラから、トリガ信号用のトリガ時間を得るための手段と、
前記同期クロックからの前記時間が前記トリガ時間に一致したときに、前記トリガ信号をアサートするための手段と
を含んでなるトリガ・ノード。
【請求項２】
前記得るための手段は、ネットワークを介して前記トリガ時間を受け取るための手段を含むものである請求項１に記載のトリガ・ノード。
【請求項３】
前記時間と同期するための手段は、ネットワーク上で実行される１以上のタイミング・データ・パケットに応答して、前記時間と同期する手段を含むものである請求項１に記載のトリガ・ノード。
【請求項４】
前記同期クロックの前記時間がリアル・タイムであり、前記トリガ時間がリアル・タイムである請求項１に記載のトリガ・ノード。
【請求項５】
前記トリガ信号はテスト計測器のトリガ入力に適合されている請求項１に記載のトリガ・ノード。
【請求項６】
対応する測定装置及び制御装置の機能の実行を引き起こす少なくとも１つのトリガ入力をそれぞれ備えた１組の測定装置及び制御装置と、
前記トリガ入力のそれぞれに対してトリガ信号を供給するための１組のトリガ・ノードであって、各トリガ・ノードは、同期クロックを備えていて該同期クロックによって互いに同期された時間が管理されるようになっており、各トリガ・ノードは、前記対応する同期クロックにおける前記同期された時間が前記対応するトリガ信号のトリガ時間に一致するときに、前記対応するトリガ信号をアサートするための手段を有するものである、トリガ・ノードと、
前記トリガ時間を前記トリガ・ノードに与えるためのテスト・コントローラと
を含んでなる、測定及び制御システム。
【請求項７】
前記テスト・コントローラは、ネットワークを介して前記トリガ時間を前記トリガ・ノードに与えるものである請求項６に記載の測定及び制御システム。
【請求項８】
前記同期クロックは、ネットワーク上で実行される１以上のタイミング・データ・パケットに応答して、前記同期された時間を管理するものである請求項６に記載の測定及び制御システム。
【請求項９】
前記ネットワークに前記タイミング・データ・パケットを生成するマスタ・クロックをさらに含む請求項８に記載の測定及び制御システム。
【請求項１０】
前記マスタ・クロックがリアル・タイム・クロックであることにより、前記トリガ・ノードにおいて前記同期クロックがリアル・タイムに同期し、各トリガ時間がリアル・タイムである請求項９に記載の測定及び制御システム。
【手続補正書】
【提出日】平成20年3月31日(2008.3.31)
【手続補正１】
【補正対象書類名】明細書
【補正対象項目名】特許請求の範囲
【補正方法】変更
【補正の内容】
【特許請求の範囲】
【請求項１】  底板と前記底板から立ち上がる側壁と前記側壁から外部に突出し上面が固体撮像素子の上面の平行度を規定する基準面となる突出部とを有し固体撮像素子のチップを収容する収容部と上方に開口部を有するパッケージの前記収容部の底面上に、所定の厚みを有する接着剤を散点状に塗布する工程と、
前記パッケージと前記固体撮像素子との各上面を前記基準面に対して高精度に平行度を合わせた状態において前記固体撮像素子を前記収容部に向けて移動させる工程と、
前記固体撮像素子の下面を前記接着剤に当接させ、前記収容部の底面には当接しない状態で前記固体撮像素子の移動を停止する工程と、
前記固体撮像素子が前記接着剤上に浮いた状態で前記接着剤を硬化させて前記固体撮像素子を前記収容部中に固定する工程と、
前記開口部を塞ぐ封止板を前記パッケージに取り付ける工程と
を含む固体撮像装置の製造方法。
【請求項２】  前記パッケージの上面を基準として用い、前記固体撮像素子の受光面に被写体からの像を収束させるためのレンズを設置する工程とを含む請求項１に記載の固体撮像装置の製造方法。
【請求項３】  底板と前記底板から立ち上がる側壁と前記側壁から外部に突出し上面が固体撮像素子の上面の平行度を規定する基準面となる突出部とを有し固体撮像素子のチップを収容するパッケージの前記底板上に、所定の厚みを有する接着剤を散点状に塗布する工程と、
固体撮像素子の上面を前記基準面に対して高精度に平行度を合わせた状態で前記固体撮像素子の下面を前記接着剤に当接させ、前記固体撮像素子の下面が前記接着剤を押圧する状態であって、前記固体撮像素子の下面と前記底板の上面とが当接していない状態になるまで前記固体撮像素子を移動させる工程と、
前記接着剤を硬化させて前記固体撮像素子を前記パッケージ中に固定する工程と、
前記側壁の上面の少なくとも一部の領域に前記パッケージを封止するための封止板を取り付ける工程と、
基準面とされた前記側壁の上面または前記底板の上面と、
前記固体撮像素子の受光面に被写体からの像を収束させるためのレンズを固定するためのレンズ固定用部材の下面とを当接させて固定する工程と
を含む固体撮像装置の製造方法。
【請求項４】  前記接着剤を塗布する工程は、複数本のノズルを有する接着剤供給装置により０．１ｍｍから０．３ｍｍの厚さの接着剤を塗布する工程である請求項１から３までのいずれかに記載の固体撮像装置の製造方法。
【請求項５】  硬化前の接着剤の粘度が、５Ｐａ・ｓから２５Ｐａ・ｓまでの間である請求項１から４までのいずれかに記載の固体撮像装置の製造方法。
【請求項６】  底板と前記底板から立ち上がる側壁と前記側壁から外部に突出し上面が固体撮像素子の上面の平行度を規定する基準面となる突出部とを有し、固体撮像素子チップを収容する収容部と上方に開口部を有するパッケージと、
前記底板上に、散点状に塗布された所定の厚みを有する接着剤と、
裏面が前記接着剤の上に保持され、前記底板の表面から浮いている状態で固定された固体撮像素子と、
前記開口部を塞ぐ透明な封止板と
を含む固体撮像装置。
【請求項７】  さらに、前記固体撮像素子の受光面に被写体からの像を収束させるためのレンズを固定するためのレンズ固定用部材と、前記レンズ固定用部材に保持されたレンズとを有し、前記レンズ固定用部材の下面が前記側壁又は前記底板の上面と密着している請求項６に記載の固体撮像装置。
【手続補正２】
【補正対象書類名】明細書
【補正対象項目名】００２３
【補正方法】変更
【補正の内容】
【００２３】
【課題を解決するための手段】
本発明の一観点によれば、底板と前記底板から立ち上がる側壁と前記側壁から外部に突出し上面が固体撮像素子の上面の平行度を規定する基準面となる突出部とを有し固体撮像素子のチップを収容する収容部と上方に開口部を有するパッケージの前記収容部の底面上に、所定の厚みを有する接着剤を散点状に塗布する工程と、前記パッケージと前記固体撮像素子との各上面を前記基準面に対して高精度に平行度を合わせた状態において前記固体撮像素子を前記収容部に向けて移動させる工程と、前記固体撮像素子の下面を前記接着剤に当接させ、前記収容部の底面には当接しない状態で前記固体撮像素子の移動を停止する工程と、前記固体撮像素子が前記接着剤上に浮いた状態で前記接着剤を硬化させて前記固体撮像素子を前記収容部中に固定する工程と、前記開口部を塞ぐ封止板を前記パッケージに取り付ける工程とを含む固体撮像装置の製造方法が提供される。
【手続補正３】
【補正対象書類名】明細書
【補正対象項目名】００２４
【補正方法】変更
【補正の内容】
【００２４】
本発明の他の観点によれば、底板と前記底板から立ち上がる側壁と前記側壁から外部に突出し上面が固体撮像素子の上面の平行度を規定する基準面となる突出部とを有し、固体撮像素子チップを収容する収容部と上方に開口部を有するパッケージと、前記底板上に、散点状に塗布された所定の厚みを有する接着剤と、裏面が前記接着剤の上に保持され、前記底板の表面から浮いている状態で固定された固体撮像素子と、前記開口部を塞ぐ透明な封止板とを含む固体撮像装置が提供される。
【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
真空の処理室を備えた半導体製造装置をクリーニングする方法であって、
前記処理室の洗浄後に、前記処理室を真空排気すると同時に又は所定の間隔をおいて前記処理室内にパージガスを導入し、
このパージガスを導入しながら前記真空排気処理を行なうことを特徴とする半導体製造装置のクリーニング方法。
【請求項２】
前記真空排気処理は前記処理室を排気ポンプで真空排気するようにし、その時の吸入圧力は、５Ｐａ以上１０００Ｐａ以下であることを特徴とする請求項１記載の半導体製造装置のクリーニング方法。
【請求項３】
前記真空排気処理は前記処理室を排気ポンプで真空排気するようにし、この排気ポンプの吸入圧力が所定の値より下がった場合に前記パージガスを導入することを特徴とする請求項１記載の半導体製造装置のクリーニング方法。
【請求項４】
前記真空排気処理は前記処理室を排気ポンプで真空排気するようにし、前記パージガスの導入量と前記排気ポンプによる排気量を調整して前記真空排気処理における前記排気ポンプの吸入圧力を所定の圧力値に保つことを特徴とする請求項１記載の半導体製造装置のクリーニング方法。
【請求項５】
真空の処理室を備えた半導体製造装置において、
前記処理室の真空排気を行なうポンプと、
前記処理室内にパージガスを導入するガス供給手段と、
を有し、
前記処理室の洗浄後において前記ガス供給手段による前記処理室への前記パージガスの導入と前記ポンプによる前記処理室の排気とが同時に行なわれるように制御されることを特徴とする半導体製造装置。
【請求項６】
前記ポンプの吸入圧力測定手段を有し、この吸入圧力測定手段による前記ポンプの吸入圧力が所定値以下となったときに前記ガス供給手段による前記パージガスの供給が行なわれることを特徴とする請求項５記載の半導体製造装置。
【請求項７】
前記ポンプの吸入圧力測定手段と、
前記ガス供給手段による前記パージガスの流量を制御するガス制御手段と、
を有し、
前記吸入圧力測定手段の検出値が所定圧力値以上となるように前記ガス制御手段による前記パージガス供給量が制御されることを特徴とする請求項５記載の半導体製造装置。
【手続補正２】
【補正対象書類名】明細書
【補正対象項目名】発明の名称
【補正方法】変更
【補正の内容】
【発明の名称】半導体製造装置のクリーニング方法および半導体製造装置
【手続補正３】
【補正対象書類名】明細書
【補正対象項目名】０００１
【補正方法】変更
【補正の内容】
【０００１】
本発明は、半導体製造装置のクリーニング方法および半導体製造装置に係り、特に、装置のダウンタイムを短縮させることにより、生産性の向上を図る技術に関する。
【手続補正４】
【補正対象書類名】明細書
【補正対象項目名】０００５
【補正方法】変更
【補正の内容】
【０００５】
そこで、従来から、この装置のダウンタイムを短縮するべく、洗浄後の真空処理室内壁に吸着している残留水分等をプラズマ放電やヒータで加熱して除去したり、パージガスで除去する技術が知られている（特許文献１）。
【手続補正５】
【補正対象書類名】明細書
【補正対象項目名】００１０
【補正方法】変更
【補正の内容】
【００１０】
上記の目的を達成するため、本発明は、真空の処理室を備えた半導体製造装置をクリーニングする方法であって、前記処理室の洗浄後に、前記処理室を真空排気すると同時に又は所定の間隔をおいて前記処理室内にパージガスを導入し、このパージガスを導入しながら前記真空排気処理を行なうことを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また本発明は、真空の処理室を備えた半導体製造装置において、前記処理室の真空排気を行なうポンプと、前記処理室内にパージガスを導入するガス供給手段と、を有し、前記処理室の洗浄後において前記ガス供給手段による前記処理室への前記パージガスの導入と前記ポンプによる前記処理室の排気とが同時に行なわれるように制御されることを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００２２
【補正方法】変更
【補正の内容】
【００２２】
また、図１における半導体製造装置の実施形態において、公知の装置構成の追加変更は適宜可能である。例えば、ガス導入口２は、図面上装置の上方向に設けているが、処理室の側方からガスを導入するように設けても良く、またウエハを載置するステージ１ａや高周波電源等の公知の半導体製造装置の構成要素の追加や変更は自由である。
【手続補正書】
【提出日】平成20年5月14日(2008.5.14)
【手続補正１】
【補正対象書類名】明細書
【補正対象項目名】特許請求の範囲
【補正方法】変更
【補正の内容】
【特許請求の範囲】
【請求項１】  色分解画像（３，３′．．．）をディジタル式に形成する多数の装置（２，２′．．．）を備えた多色印刷機において見当を調節するための方法であって、見当調節を修正するために別種の印刷基板（１６）を供給する際に色分解画像（３，３′．．．）の製造及び相互接合を制御する形式のものにおいて、印刷基板種の交換の際に、見当に関し重要な印刷基板（１６）の全ての特性の影響を、印刷を実施する前に得られる印刷基板（１６）用の修正値（４，４′．．．）を用いて、変更実施時に直接考慮することを特徴とする、多色印刷機において見当を調節するための方法。
【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】  種々異なる印刷インキに配属されたカラー印刷機（６，６′，６″，６″′）と、少なくとも１つの画像シリンダ（２，２′，…）と、少なくとも１つの画像シリンダ（２，２′，…）上に特に静電的な色分解画像を形成するための画像形成装置（３，３′，…）と、印刷基板（１５）のための支持体（４）と、色分解画像（７，７′，…）を印刷基板（１５）に転写するための少なくとも１つの画像転写箇所（５，５′，５″，５″′）とを有する多色印刷機（１）の見当合わせを調節するための方法であって、レジスターマーク（９，９′，９″，９″′）の評価及び印刷部に基づいて色分解画像（７，７′，…）の領域（１０′，１０″，…，１０ｎ）の形成及び画像始端の形成を調節することによって、色分解画像（７，７′，…）の見当合わせ合致を得るために、印刷時に画像形成箇所（１１，１１′，…）を少なくとも１つの画像シリンダ（２，２′，…）に対応配置させる方法において、
見当合わせを調節しようとする印刷部（１４）とは異なる長さ（１２，１２′）を有し、かつ、レジスターマーク（９，９′，９″，９″′）を有する少なくとも１つの画像頁（８，８′）を印刷し、修正値（１７，１７′，１７″，１７′″）を算出するために、少なくとも１つの画像頁（８，８′，…）のレジスターマーク（９，９′，９″，９″′）のデータ（１６）を検出し、画像及び基板を支持する部材（２，２′，…，４，１３，１３′，…）の位置に関連付け、画像形成装置（３，３′，…）を修正値（１７，１７′，１７″）に応じて制御することを特徴とする、多色印刷機で見当合わせを調節するための方法。
【請求項２】  レジスターマーク（９，９′，９″，９″′）のデータ（１６）を、画像シリンダ（２，２′，…）及び支持体（４）の位置に関連付けて、画像シリンダ（２，２′，…）における画像形成装置（３，３′，…）を支持体（４）上で目標値を形成するために制御する、請求項１記載の方法。
【請求項３】  レジスターマーク（９，９′，９″，９″′）のデータ（１６）を、画像転写シリンダ（１３，１３′，…）の位置にも関連付け、画像形成装置（３，３′，…）の制御に算入する、請求項２記載の方法。
【請求項４】  色分解画像（７，７′，…）の領域（１０′，１０″，…，１０ｎ）のための修正値、及び画像始端部（１０）のための修正値を別個に算出し、この際に画像始端部（１０）に基づいて領域（１０′，１０″，…，１０ｎ）を形成する、請求項１から３までのいずれか１項記載の方法。
【請求項５】  少なくとも１つの画像頁（８′）に、印刷部（１４）に対して余剰長さ（１２′）を与える、請求項１から４までのいずれか１項記載の方法。
【請求項６】  印刷部（１４）に対して短い多数の画像頁（８）を形成する、請求項１から５までのいずれか１項記載の方法。
【請求項７】  画像頁（８′）の長さ（１２′）を、色分解画像（７，７′，…）の領域（１０′，１０″，…，１０ｎ）の複数のエラーの多数の周期が検出され得るように選定する、請求項５記載の方法。
【請求項８】  短い画像頁（８）内に画像始端部（１０）の複数のエラーの周期が含まれるように、短い画像頁（８）を位置決めする、請求項６記載の方法。
【請求項９】  レジスターマーク（９，９′，９″，９″′）から、画像始端部（１０）の実際位置が検出され、実際値と目標値との比較から修正値（１７，１７′，１７″）が算出されるように、レジスターマーク（９，９′，９″，９″′）を構成する、請求項１から８までのいずれか１項記載の方法。
【請求項１０】  レジスターマーク（９，９′，９″，９″′）から、領域（１０′，１０″，…，１０ｎ）の実際位置が検出され、実際値と目標値との比較から修正値（１７，１７′，１７″）が規定されるように、レジスターマーク（９，９′，９″，９″′）を構成する、請求項１から９までのいずれか１項記載の方法。
【請求項１１】  請求項１から１０までのいずれか１項記載の方法に従って多色印刷機（１）で見当合わせ調節を行う装置であって、種々異なる印刷インキに配属されたカラー印刷機（６，６′，６″，６″′）と、少なくとも１つの画像シリンダ（２，２′，…）と、少なくとも１つの画像シリンダ（２，２′，…）上に特に静電的な色分解画像を形成するための画像形成装置（３，３′，…）と、印刷基板（１５）のための支持体（４）と、色分解画像（７，７′，…）を印刷基板（１５）に転写するための少なくとも１つの画像転写箇所（５，５′，５″，５″′）と、位置検出のための複数のセンサ（２０，２１）と、色分解画像（７，７′，…）の見当合わせ合致を得るために、印刷時に画像形成箇所（１１，１１′，…）を少なくとも１つの画像シリンダ（２，２′，…）に対応配置させるための少なくとも１つの調節装置（２２，２２′，２２″，２２″′）とを有しており、この場合、レジスターマーク（９，９′，９″，９″′）を検出するための少なくとも１つの画像シリンダ（２，２′，…）が配置されていて、少なくとも１つの調節装置（２２，２２′，２２″，２２″′）が、レジスターマーク（９，９′，９″，９″′）のテスト印刷を開始させるように構成されていて、かつ、これに基づいて画像始端部（１０）の形成及び色分解画像（７，７′，…）の領域（１０′，１０″，…，１０ｎ）の形成を調節するように評価するようになっている形式のものにおいて、
少なくとも１つの調節装置（２２，２２′，２２″，２２″′）を有しており、該調節装置は、見当合わせを調節しようとする印刷部（１４）とは異なる長さ（１２，１２′）を有する、レジスターマーク（９，９′，９″，９″′）を備えた少なくとも１つの画像頁（８，８′）の印刷を開始させるように構成されており、少なくとも１つの調節装置（２２，２２′，２２″，２２″′）が、修正値（１７，１７′，１７″）を算出するために、検出されたレジスターマーク（９，９′，９″，９″′）のデータ（１６）を、画像及び基板を支持する部材（２，２′，…，４，１３，１３′，…）の位置に関連付け、画像形成装置（３，３′，…）を修正値（１７，１７′，１７″）に応じて制御するように構成されていることを特徴とする、多色印刷機で見当合わせを調節するための装置。
【手続補正書】
【提出日】平成20年4月15日(2008.4.15)
【手続補正１】
【補正対象書類名】明細書
【補正対象項目名】発明の名称
【補正方法】変更
【補正の内容】
【発明の名称】アクティブマトリクス型の液晶表示装置の製造方法
【手続補正２】
【補正対象書類名】明細書
【補正対象項目名】特許請求の範囲
【補正方法】変更
【補正の内容】
【特許請求の範囲】
【請求項１】
全てのゲート配線が同時に選択された状態となる期間に、同極性の電圧をすべての画素の画素電極に印加することで、前記画素電極と前記画素電極と対になる電極との間に電圧を印加し、紫外線を液晶に照射し、前記液晶を単安定化することを特徴とするアクティブマトリクス型の液晶表示装置の製造方法。
【請求項２】
全てのゲート配線が同時に選択された状態となる期間に、同極性の電圧をすべての画素の画素電極に印加することで、前記画素電極と前記画素電極と対になる電極との間に電圧を印加し、液晶を加熱し、前記液晶を単安定化することを特徴とするアクティブマトリクス型の液晶表示装置の製造方法。
【請求項３】
請求項１または請求項２において、一定の電圧に保持されたゲートスタートパルスを入力し、前記ゲート配線を同時に選択された状態にすることを特徴とするアクティブマトリクス型の液晶表示装置の製造方法。
【請求項４】
ＴＦＴ下方に絶縁膜を介して設けられている導電性の膜と前記ＴＦＴに液晶を挟んで対向している対向電極とを用いて、前記液晶に電圧を印加しながら、前記液晶に紫外線を照射し、前記液晶を単安定化することを特徴とするアクティブマトリクス型の液晶表示装置の製造方法。
【請求項５】
ＴＦＴ下方に絶縁膜を介して設けられている導電性の膜と前記ＴＦＴに液晶を挟んで対向している対向電極とを用いて、前記液晶に電圧を印加しながら、前記液晶を加熱し、前記液晶を単安定化することを特徴とするアクティブマトリクス型の液晶表示装置の製造方法。
【請求項６】
ＴＦＴを有する基板の前記ＴＦＴが設けられた面と反対側の面に設けられている導電膜と前記ＴＦＴに液晶を挟んで対向している対向電極とを用いて、前記液晶に電圧を印加しながら、前記液晶に紫外線を照射し、前記液晶を単安定化することを特徴とするアクティブマトリクス型の液晶表示装置の製造方法。
【請求項７】
ＴＦＴを有する基板の前記ＴＦＴが設けられた面と反対側の面に設けられている導電膜と前記ＴＦＴに液晶を挟んで対向している対向電極とを用いて、前記液晶に電圧を印加しながら、前記液晶を加熱し、前記液晶を単安定化することを特徴とするアクティブマトリクス型の液晶表示装置の製造方法。
【請求項８】
請求項１乃至請求項７のいずれか一項において、前記液晶がスメクチック液晶であることを特徴とするアクティブマトリクス型の液晶表示装置の製造方法。
【請求項９】
請求項８において、前記スメクチック液晶が強誘電性液晶であることを特徴とするアクティブマトリクス型の液晶表示装置の製造方法。
【請求項１０】
請求項１乃至請求項９のいずれか一項において、前記液晶が高分子材料と液晶材料の混合物であることを特徴とするアクティブマトリクス型の液晶表示装置の製造方法。
【請求項１１】
請求項１０において、前記高分子材料に重合剤が添加されていることを特徴とするアクティブマトリクス型の液晶表示装置の製造方法。
【請求項１２】
請求項１１において、前記重合剤が光重合性あるいは熱重合性を有することを特徴とするアクティブマトリクス型の液晶表示装置の製造方法。
【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
ディスクチェンジャと通信するためのインターフェースを備えるヘッドユニットと、
該インターフェースを介して該ヘッドユニットに接続されるコンテンツサーバと、
該コンテンツサーバと通信する格納デバイスと
を備える、システムであって、
該コンテンツサーバは、該ディスクチェンジャをエミュレートするように適合されており、
該コンテンツサーバは、
該ヘッドユニットの第１の入力デバイスの作動を検出することであって、該第１の入力デバイスには、該ディスクチェンジャの第１のデフォルト機能が割り当てられている、ことと、
マッピングファイルを読み取ることにより、該第１のデフォルト機能をトラック識別属性に関連した再生モードへとオーバーライドすることと、
該トラック識別属性に関連した該再生モードで動作させることと、
該トラック識別属性の第１の値を受信することと、
該トラック識別属性の該第１の値に整合する第１の再生リストにアクセスすることと、
該第１の再生リストにおいて特定されるトラックに従ってコンテンツファイルを再生することと
を実行するように動作可能であり、
該格納デバイスは、該マッピングファイルと該コンテンツファイルとを含む、システム。
【請求項２】
前記トラック識別属性の第１の値を受信することは、
前記コンテンツサーバが、
前記ヘッドユニットの第２の入力デバイスの作動を検出することであって、該第２の入力デバイスには、前記ディスクチェンジャの第２のデフォルト機能が割り当てられている、ことと、
前記マッピングファイルを読み取ることにより、該第２のデフォルト機能を該トラック識別属性の該第１の値へとオーバーライドすることと
を実行するように動作可能であることを含む、請求項１に記載のシステム。
【請求項３】
前記コンテンツサーバは、
前記トラック識別属性の第２の値を受信することと、
該トラック識別属性の該第２の値に整合する第２の再生リストにアクセスすることと、
該第２の再生リストにおいて特定されるトラックに従ってコンテンツファイルを再生することと
を実行するようにさらに動作可能である、請求項１に記載のシステム。
【請求項４】
前記トラック識別属性は、ジャンル、アーチストまたはアルバムのうちの１つ以上を含む、請求項１に記載のシステム。
【請求項５】
前記再生モードにデータ構造が関連しており、該データ構造は、前記トラック識別属性の前記第１の値に整合する前記第１の再生リストを含む、請求項１に記載のシステム。
【請求項６】
コンテンツサーバを制御する方法であって、
該方法は、
該コンテンツサーバに接続されたヘッドユニットの第１の入力デバイスの作動を検出することであって、該ヘッドユニットは、ディスクチェンジャと通信するように適合されており、該第１の入力デバイスには、該ディスクチェンジャの第１のデフォルト機能が割り当てられており、該コンテンツサーバは、該ディスクチェンジャをエミュレートするように適合されている、ことと、
マッピングファイルを読み取ることにより、該第１のデフォルト機能をトラック識別属性に関連した再生モードへとオーバーライドすることと、
該トラック識別属性に関連した該再生モードで動作させることと、
該トラック識別属性の第１の値を受信することと、
該トラック識別属性の該第１の値に整合する第１の再生リストにアクセスすることと、
該第１の再生リストにおいて特定されるトラックに従ってコンテンツファイルを再生することと
を包含する、方法。
【請求項７】
前記トラック識別属性の第１の値を受信することは、
前記ヘッドユニットの第２の入力デバイスの作動を検出することであって、該第２の入力デバイスには、前記ディスクチェンジャの第２のデフォルト機能が割り当てられている、ことと、
前記マッピングファイルを読み取ることにより、該第２のデフォルト機能を該トラック識別属性の該第１の値へとオーバーライドすることと
を包含する、請求項６に記載の方法。
【請求項８】
前記トラック識別属性の第２の値を受信することと、
該トラック識別属性の該第２の値に整合する第２の再生リストにアクセスすることと、
該第２の再生リストにおいて特定されるトラックに従ってコンテンツファイルを再生することと
をさらに包含する、請求項６に記載の方法。
【請求項９】
前記トラック識別属性は、ジャンル、アーチストまたはアルバムのうちの１つ以上を含む、請求項６に記載の方法。
【請求項１０】
前記再生モードにデータ構造が関連しており、該データ構造は、前記トラック識別属性の前記第１の値に整合する前記第１の再生リストを含む、請求項６に記載の方法。
【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
ＣＰＵユニットと複数の通信ユニットとを連結して内部バスで接続し、ＣＰＵユニットと通信ユニットそれぞれは内部バスを介してデータ通信するとともに、ＣＰＵユニットは制御に必要なデータを取込むＩＮリフレッシュ処理と取込んだデータに基づいて演算実行する演算実行処理と演算結果を出力するＯＵＴリフレッシュ処理をサイクリックに実行するプログラマブルコントローラであって、
前記ＣＰＵユニットは、
ＴＣＰ／ＩＰプロトコルに準拠したもので、アプリケーション層のプロトコルに対応するアプリ部と、トランスポート層のプロトコルに対応するＴＣＰ部と、ルーティング機能を有するインターネット層のプロトコルに対応するＩＰ部と、前記ＩＰ部に第１の内部バス用のドライバを接続するように構成し、第１の内部バス用ドライバから転送されてきたデータを、前記ＩＰ部にてルーティング処理し、ルーティング処理結果に基づきデータを前記ＴＣＰ部及びまたは送信先の通信ユニット宛てに第１の内部バス用ドライバへ転送するものであり、
前記複数の通信ユニットのそれぞれは、
ＴＣＰ／ＩＰプロトコルに準拠したもので、アプリケーション層のプロトコルに対応するアプリ部と、トランスポート層のプロトコルに対応するＴＣＰ部と、インターネット層のプロトコルに対応するＩＰ部と、イーサネット（登録商標（以下、同様））ドライバと、他のプログラマブルコントローラまたは機器と通信するイーサネットインタフェースと、を備えるとともに、前記イーサネットドライバに第２の内部バス用ドライバを接続するように構成し、
前記イーサネットドライバは、第２の内部バス用ドライバから転送されてきたデータを前記イーサネットインタフェースに転送する機能と、前記イーサネットインタフェースから転送されてきたデータを、そのデータのプロトコルヘッダ部を解析し、その解析内容によって第２の内部バス用ドライバ及びまたは前記ＩＰ部に転送する振り分け機能とを備えたものである
ことを特徴とするプログラマブルコントローラ。
【請求項２】
前記通信ユニットに、自ユニットのアプリ部が利用可能なポート番号の範囲を設定しておき、
通信ユニットにおける振り分け機能は、受け取ったデータの宛先ポート番号と上記範囲から転送先を決定するものであることを特徴とする請求項１に記載のプログラマブルコントローラ。
【請求項３】
内部バスにＣＰＵユニットが接続されたプログラマブルコントローラに対して連結されるとともに前記内部バスに接続され、ＣＰＵユニットの間で前記内部バスを介してデータ通信する通信ユニットであって、
ＴＣＰ／ＩＰプロトコルに準拠したもので、アプリケーション層のプロトコルに対応するアプリ部と、トランスポート層のプロトコルに対応するＴＣＰ部と、インターネット層のプロトコルに対応するＩＰ部と、イーサネットドライバと、他のプログラマブルコントローラまたは機器と通信するイーサネットインタフェースと、を備えるとともに、前記イーサネットドライバに、内部バス用のドライバを接続するように構成し、
前記イーサネットドライバは、前記内部バス用のドライバから転送されてきたデータは前記イーサネットインタフェースに転送する機能と、前記イーサネットインタフェースから転送されてきたデータは、そのデータのプロトコルヘッダ部を解析し、その内容によって前記内部バス用のドライバ及びまたは前記ＩＰ部に転送する振り分け機能とを備えた
ことを特徴とする通信ユニット。
【手続補正２】
【補正対象書類名】明細書
【補正対象項目名】０００７
【補正方法】変更
【補正の内容】
【０００７】
この発明によるプログラマブルコントローラは、ＣＰＵユニットと複数の通信ユニットとを連結して内部バスで接続し、ＣＰＵユニットと通信ユニットそれぞれは内部バスを介してデータ通信するとともに、ＣＰＵユニットは制御に必要なデータを取込むＩＮリフレッシュ処理と取込んだデータに基づいて演算実行する演算実行処理と演算結果を出力するＯＵＴリフレッシュ処理をサイクリックに実行するプログラマブルコントローラである。前記ＣＰＵユニットは、ＴＣＰ／ＩＰプロトコルに準拠したもので、アプリケーション層のプロトコルに対応するアプリ部と、トランスポート層のプロトコルに対応するＴＣＰ部と、ルーティング機能を有するインターネット層のプロトコルに対応するＩＰ部と、前記ＩＰ部に第１の内部バス用のドライバを接続するように構成し、第１の内部バス用ドライバから転送されてきたデータを、前記ＩＰ部にてルーティング処理し、ルーティング処理結果に基づきデータを前記ＴＣＰ部及びまたは送信先の通信ユニット宛てに第１の内部バス用ドライバへ転送するものである。前記複数の通信ユニットのそれぞれは、ＴＣＰ／ＩＰプロトコルに準拠したもので、アプリケーション層のプロトコルに対応するアプリ部と、トランスポート層のプロトコルに対応するＴＣＰ部と、インターネット層のプロトコルに対応するＩＰ部と、イーサネット（登録商標（以下、同様））ドライバと、他のプログラマブルコントローラまたは機器と通信するイーサネットインタフェースと、を備えるとともに、前記イーサネットドライバに第２の内部バス用ドライバを接続するように構成した。前記イーサネットドライバは、第２の内部バス用ドライバから転送されてきたデータを前記イーサネットインタフェースに転送する機能と、前記イーサネットインタフェースから転送されてきたデータを、そのデータのプロトコルヘッダ部を解析し、その解析内容によって第２の内部バス用ドライバ及びまたは前記ＩＰ部に転送する振り分け機能とを備えた。
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】変更
【補正の内容】
【００１１】
本発明に係る通信ユニットは、内部バスにＣＰＵユニットが接続されたプログラマブルコントローラに対して連結されるとともに前記内部バスに接続され、ＣＰＵユニットの間で前記内部バスを介してデータ通信する通信ユニットであって、ＴＣＰ／ＩＰプロトコルに準拠したもので、アプリケーション層のプロトコルに対応するアプリ部と、トランスポート層のプロトコルに対応するＴＣＰ部と、インターネット層のプロトコルに対応するＩＰ部と、イーサネットドライバと、他のプログラマブルコントローラまたは機器と通信するイーサネットインタフェースと、を備えるとともに、前記イーサネットドライバに、内部バス用のドライバを接続するように構成し、前記イーサネットドライバは、前記内部バス用のドライバから転送されてきたデータは前記イーサネットインタフェースに転送する機能と、前記イーサネットインタフェースから転送されてきたデータは、そのデータのプロトコルヘッダ部を解析し、その内容によって前記内部バス用のドライバ及びまたは前記ＩＰ部に転送する振り分け機能とを備えるようにした。
【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
情報が書き換えられる複数のヒューズ回路と、
前記複数のヒューズ回路に接続されるセレクタ回路と、
前記セレクタ回路に接続され、前記複数のヒューズ回路の情報を読み出す読み出し回路と、
を有し、
前記セレクタ回路は前記複数のヒューズ回路を順次選択し、前記読み出し回路によって、前記複数のヒューズ回路の情報を読み出すことを特徴とするヒューズ読み出し回路。
【請求項２】
請求項１に記載のヒューズ読み出し回路において、
前記セレクタ回路は前記複数のヒューズ回路の中の１つを順次選択することを特徴とするヒューズ読み出し回路。
【請求項３】
請求項１または２に記載のヒューズ読み出し回路は、
前記複数のヒューズ回路に接続される１つの前記セレクタ回路と、
前記セレクタ回路に接続される１つの読み出し回路と、
を有することを特徴とするヒューズ読み出し回路。
【請求項４】
請求項１から３のいずれかに記載のヒューズ読み出し回路において、
前記読み出し回路により読み出された情報を記憶する複数の保持回路をさらに有し、
前記読み出し回路により順次読み出された情報を前記複数の保持回路からパラレルで出力することを特徴とするヒューズ読み出し回路。
【請求項５】
請求項１から４のいずれかに記載のヒューズ読み出し回路において、
前記複数のヒューズ回路は、複数のデータビットと、１つの極性ビットを有し、
前記複数のデータビットを記憶する前記保持回路の出力を前記極性ビットの値に応じて反転させる極性反転回路をさらに有することを特徴とするヒューズ読み出し回路。
【手続補正２】
【補正対象書類名】明細書
【補正対象項目名】０００９
【補正方法】変更
【補正の内容】
【０００９】
また、前記ヒューズ読み出し回路において、前記セレクタ回路は前記複数のヒューズ回路の中の１つを順次選択することが好適である。
【手続補正３】
【補正対象書類名】明細書
【補正対象項目名】００１０
【補正方法】変更
【補正の内容】
【００１０】
また、前記ヒューズ読み出し回路は、前記複数のヒューズ回路に接続される１つの前記セレクタ回路と、前記セレクタ回路に接続される１つの読み出し回路と、からなることが好適である。
【手続補正書】
【提出日】平成20年9月1日(2008.9.1)
【手続補正１】
【補正対象書類名】明細書
【補正対象項目名】００１１
【補正方法】変更
【補正の内容】
【００１１】
[燃料電池自動車]
図１は、本発明の実施形態に係る燃料電池自動車の斜視図である。図１に示すように、燃料電池自動車２００は、燃料電池システム１００を搭載している。燃料電池システム１００は、金属パネル（図示省略）で覆われた燃料電池スタック２と、この燃料電池スタック２の後方に配置される水素タンク１０１と、燃料電池スタック２よりも前方に配置されるコンプレッサ１０２と、燃料電池スタック２よりも後方に配置される、加湿器や希釈ボックスを含む空気排出補機１０３と、燃料電池スタック２よりも前方に配置されるラジエータ１０４（放熱器）と、燃料電池スタック２よりも後方に配置されるレギュレータやエゼクタを含む水素供給補機１０５と、ＥＣＵ（Electric Control Unit）とを主に備えている。
【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
遊技盤と、
この遊技盤の遊技領域に遊技球を案内する案内レールと、
前記案内レールを保持するレールホルダと、
前記遊技盤に前記レールホルダを固定する固定手段とを備え、
前記案内レールのレール面のレール長さ方向に貫通孔を並設し、しかも、
前記レールホルダの周面に、前記遊技球の案内軌道に沿って前記案内レールを保持するレールガイド面を設けるとともに、このレールガイド面には、前記案内レールの貫通孔に嵌合して前記案内レールを係止する係止部を設けたことを特徴とする遊技機。
【請求項２】
前記案内レールは、弾性変形によってレール長さを伸縮可能な屈曲部を有することを特徴とする請求項１記載の遊技機。
【請求項３】
前記案内レールの貫通孔は、前記係止部よりもレール長さ方向に長い長孔であることを特徴とする請求項１または請求項２に記載の遊技機。
【請求項４】
前記レールホルダは、前記遊技盤の上端中央付近にくびれ部を有することを特徴とする請求項１〜請求項３のいずれかに記載の遊技機。
【請求項５】
前記くびれ部には、前記案内レールを覆う庇形リブが設けられることを特徴とする請求項４記載の遊技機。
【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
遊技盤と、
この遊技盤の遊技領域に遊技球を案内する案内レールと、
前記案内レールを保持するレールホルダと、
前記遊技盤に前記レールホルダを固定する固定手段とを備え、
前記レールホルダは、前記遊技球の案内軌道に沿って前記案内レールを支持するレールガイド面を有し、
前記案内レールは、前記レールガイド面に摺接可能に取り付けられるものであり、かつ、前記案内レールの所定位置には、弾性変形によってレール長さを伸縮可能な屈曲部が設けられることを特徴とする遊技機。
【請求項２】
前記レールホルダは、前記案内レールの屈曲部を格納するレール格納部を有することを特徴とする請求項１記載の遊技機。
【請求項３】
前記案内レールの屈曲部は、そのレール長さ方向の断面形状が対称形であることを特徴とする請求項１または請求項２に記載の遊技機。
【請求項４】
前記レールホルダは、前記レールガイド面の始端付近および終端付近に、前記案内レールの始端部および終端部を係止する係止溝を有しており、
前記案内レールの始端部および終端部は、前記屈曲部の弾性力によりレール長さ方向に押圧されて前記係止溝に係止されることを特徴とする請求項１〜請求項３のいずれかに記載の遊技機。
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
遊技盤と、
この遊技盤の遊技領域に遊技球を案内する金属製の案内レールと、
前記案内レールを保持する合成樹脂製のレールホルダと、
前記遊技盤に前記レールホルダを固定する固定手段とを備え、
前記レールホルダは、前記遊技球の案内軌道に沿って前記案内レールを支持するレールガイド面を有し、
前記案内レールは、前記レールホルダに前記案内レールの始端部と終端部とを固定することにより、前記レールガイド面に沿って取り付けられるものであり、しかも、
前記レールガイド面の前記案内レールよりも遊技盤前側には、前記案内レールの幅方向の移動を規制する位置決めガイドを突出させたことを特徴とする遊技機。
【請求項２】
前記位置決めガイドは、前記レールガイド面のレール長さ方向に連なる庇状であることを特徴とする請求項１記載の遊技機。
【請求項３】
前記レールホルダは、前記遊技盤の端部中央付近に上下方向の厚みが薄くなるくびれ部を有しており、前記位置決めガイドは、このくびれ部に形成されていることを特徴とする請求項１又は請求項２に記載の遊技機。
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
遊技盤と、
この遊技盤の遊技領域に遊技球を案内する金属製の案内レールと、
前記案内レールを保持する合成樹脂製のレールホルダと、
前記遊技盤に前記レールホルダを固定する固定手段とを備え、
前記レールホルダには、前記遊技球の案内軌道に沿って前記案内レールを支持するレールガイド面を設けるとともに、前記遊技盤の上端中央付近、左端中央付近、右端付中央近のうち少なくとも一箇所に、薄板状でレール幅方向の厚み寸法がほぼ一定のくびれ部を形成し、しかも、前記くびれ部の前記レールガイド面には前記案内レールを密着させて支持することを特徴とする遊技機。
【請求項２】
前記遊技機は、前記レールホルダのレールガイド面と前記案内レールとの密着補助手段を有しており、
前記密着補助手段は、
前記案内レールのレール面のレール長さ方向に並設される貫通孔と、
前記案内レールの貫通孔に嵌合して前記案内レールを前記レールガイド面に沿って係止する係止部とであることを特徴とする請求項１記載の遊技機。
【請求項３】
前記遊技機は、前記レールホルダのレールガイド面と前記案内レールとの密着補助手段を有しており、
前記密着補助手段は、弾性変形によって伸縮可能な前記案内レールの屈曲部であることを特徴とする請求項１記載の遊技機。
【請求項４】
前記遊技機は、前記レールホルダのレールガイド面と前記案内レールとの密着補助手段を有しており、
前記密着補助手段は、前記遊技盤の前側で前記くびれ部のレールガイド面に突出して前記案内レールの側端を係止する庇形リブであることを特徴とする請求項１記載の遊技機。
【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
遊技者による開始操作を検出する開始操作検出手段と、
前記開始操作検出手段による開始操作の検出に基づいて複数の図柄を変動表示する変動表示手段と、
前記開始操作検出手段による開始操作の検出に基づいて内部当選役を決定する内部当選役決定手段と、
遊技者による停止操作を検出する停止操作検出手段と、
前記内部当選役決定手段により決定された内部当選役と前記停止操作検出手段による停止操作の検出とに基づいて前記変動表示手段の変動表示動作を停止制御する停止制御手段と、
特定の内部当選役に対応する図柄の組合せが前記停止制御手段によって停止表示されてから所定の終了条件を満たすまでの間の遊技を遊技者にとって有利な特定遊技状態とする特定遊技状態制御手段と、
前記内部当選役決定手段によって前記特定の内部当選役が内部当選役として決定されてから前記停止制御手段によって前記特定の内部当選役に対応する図柄の組合せが停止表示されるまでの間前記特定の内部当選役を内部当選役として持ち越す特定内部当選役持越手段と、
内部当選役を遊技者に報知する報知手段と、を備えた遊技機であって、
前記内部当選役は、対応する図柄組合せが停止表示されることで遊技者に所定の遊技媒体を付与する小役と、対応する図柄組合せが停止表示されることで再遊技を付与する再遊技役と、を含み、
前記停止制御手段は、前記再遊技役が内部当選役として決定されている場合、前記停止操作の検出のタイミングに関わらず前記再遊技役に対応する図柄の組合せを停止表示させ、
前記報知手段は、
前記特定の内部当選役に内部当選していない場合、前記特定の内部当選役以外の内部当選役に内部当選したことを所定の確率で報知し、
前記特定の内部当選役に内部当選している場合、前記小役に内部当選したことを前記所定の確率よりも高い特定の確率で報知すると共に、
前記再遊技役に内部当選したことを報知しないことを特徴とする遊技機。
【請求項２】
前記特定の内部当選役は、遊技者に大きな利益を与える第１特定役と、遊技者に相対的に小さい利益を与える第２特定役とからなり、
前記報知手段は、前記第１特定役及び前記第２特定役のいずれか一方に内部当選した場合、他方の内部当選役に対応する図柄組合せとは１つの図柄が異なる図柄組合せで停止表示されることを条件に前記特定の内部当選役に内部当選していることを報知することを特徴とする請求項１に記載の遊技機。
【請求項３】
前記報知手段は、前記変動表示手段とは別体に設けられていることを特徴とする請求項１又は請求項２に記載の遊技機。
【手続補正２】
【補正対象書類名】明細書
【補正対象項目名】０００９
【補正方法】変更
【補正の内容】
【０００９】
（１）  遊技者による開始操作を検出する開始操作検出手段と、前記開始操作検出手段による開始操作の検出に基づいて複数の図柄を変動表示する変動表示手段と、前記開始操作検出手段による開始操作の検出に基づいて内部当選役を決定する内部当選役決定手段と、遊技者による停止操作を検出する停止操作検出手段と、前記内部当選役決定手段により決定された内部当選役と前記停止操作検出手段による停止操作の検出とに基づいて前記変動表示手段の変動表示動作を停止制御する停止制御手段と、特定の内部当選役に対応する図柄の組合せが前記停止制御手段によって停止表示されてから所定の終了条件を満たすまでの間の遊技を遊技者にとって有利な特定遊技状態とする特定遊技状態制御手段と、前記内部当選役決定手段によって前記特定の内部当選役が内部当選役として決定されてから前記停止制御手段によって前記特定の内部当選役に対応する図柄の組合せが停止表示されるまでの間前記特定の内部当選役を内部当選役として持ち越す特定内部当選役持越手段と、内部当選役を遊技者に報知する報知手段と、を備えた遊技機であって、前記内部当選役は、対応する図柄組合せが停止表示されることで遊技者に所定の遊技媒体を付与する小役と、対応する図柄組合せが停止表示されることで再遊技を付与する再遊技役と、を含み、前記停止制御手段は、前記再遊技役が内部当選役として決定されている場合、前記停止操作の検出のタイミングに関わらず前記再遊技役に対応する図柄の組合せを停止表示させ、前記報知手段は、前記特定の内部当選役に内部当選していない場合、前記特定の内部当選役以外の内部当選役に内部当選したことを所定の確率で報知し、前記特定の内部当選役に内部当選している場合、前記小役に内部当選したことを前記所定の確率よりも高い特定の確率で報知すると共に、前記再遊技役に内部当選したことを報知しないことを特徴とする遊技機。
【手続補正３】
【補正対象書類名】明細書
【補正対象項目名】００１０
【補正方法】変更
【補正の内容】
【００１０】
（１）の発明によれば、ボーナスが内部当選している場合に、内部当選役を所定の確率で報知するので、遊技者がボーナス内部当選中にどの小役が内部当選しているかを認識することが可能となる。このことから、ボーナス内部当選状態において、遊技者がボーナス図柄を停止させようと“目押し”してもボーナスが入賞しないことが回避されるので、遊技に苛立ちや煩わしさを感じることがなくなる。また、この際、報知された小役図柄を入賞させることが可能となるので、小役を取りこぼすことがなくなり、遊技者が有意義、かつ、有利に遊技を行うことができる。さらに、ボーナス内部当選状態における小役の報知確率が一般遊技状態よりも高いので、ボーナスを入賞させる前に、遊技媒体を確実に増加させることが可能となり、遊技の興趣を高めることができる。
【手続補正４】
【補正対象書類名】明細書
【補正対象項目名】００１１
【補正方法】変更
【補正の内容】
【００１１】
（２）  前記特定の内部当選役は、遊技者に大きな利益を与える第１特定役と、遊技者に相対的に小さい利益を与える第２特定役とからなり、前記報知手段は、前記第１特定役及び前記第２特定役のいずれか一方に内部当選した場合、他方の内部当選役に対応する図柄組合せとは１つの図柄が異なる図柄組合せで停止表示されることを条件に前記特定の内部当選役に内部当選していることを報知することを特徴とする（１）に記載の遊技機。
【手続補正５】
【補正対象書類名】明細書
【補正対象項目名】００１２
【補正方法】削除
【補正の内容】
【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
筒状容器に中空糸膜束を収容し、両端部をポッティング加工して得た中空糸型血漿成分分離器であって、筒状容器に収容される中空糸膜は少なくともポリスルホンとポリビニルピロリドンとを含むポリマーから構成され、前記中空糸膜中のポリビニルピロリドンの濃度が２ｗｔ％以上４ｗｔ％以下であり、且つ中空糸内表面のポリビニルピロリドンの濃度が３３ｗｔ％以上であって、該中空糸膜の血漿総蛋白の吸着量が０．４５ｇ／ｍ２以下であり、且つ、該膜のＩｇＧの透過率が６５％以上、フィブリノーゲンの透過率が２０％未満である事を特徴とする中空糸型血漿成分分離器。
【請求項２】
ポリビニルピロリドンの少なくとも一部が不溶化されている請求項１に記載の中空糸型血漿成分分離器。
【請求項３】
中空糸膜の内径が１９０μｍ以上２３０μｍ以下であり、且つ、牛血漿の限外濾過率（ＵＦＲ）が１５〜８０ｍｌ／ｈｒ・ｍ２・ｍｍＨｇである事を特徴とする請求項１または２に記載の中空糸型血漿成分分離器。
【請求項４】
膜面積が１．５〜３．０ｍ２であることを特徴とする請求項１〜３のいずれかに記載の中空糸型血漿成分分離器。
【請求項５】
中空糸型血漿成分分離器によってディスカード法により牛血漿の濾過実験を行った時、牛血漿を４リットル処理した際のＩｇＧの透過率が６０％以上、フィブリノーゲンの透過率が２０％未満である事を特徴とする請求項１〜４のいずれかに記載の中空糸型血漿成分分離器。
【請求項６】
ディスカード法により牛血漿の濾過実験を行った時、牛血漿を４リットル処理した際の膜間圧力差の上昇が５０ｍｍＨｇ以下である事を特徴とする請求項１〜５のいずれかに記載の中空糸型血漿成分分離器。
【請求項７】
中空糸型血漿成分分離器によってストップエンド法により牛血漿の濾過実験を行った時、牛血漿を４リットル処理した際のＩｇＧの透過率が４０％以上、フィブリノーゲンの透過率が２０％未満である事を特徴とする請求項１〜６のいずれかに記載の中空糸型血漿成分分離器。
【手続補正２】
【補正対象書類名】明細書
【補正対象項目名】０００８
【補正方法】変更
【補正の内容】
【０００８】
すなわち本発明は、下記に関するものである。
（１）筒状容器に中空糸膜束を収容し、両端部をポッティング加工して得た中空糸型血漿成分分離器であって、筒状容器に収容される中空糸膜は少なくともポリスルホンとポリビニルピロリドンとを含むポリマーから構成され、前記中空糸膜中のポリビニルピロリドンの濃度が２ｗｔ％以上４ｗｔ％以下であり、且つ中空糸内表面のポリビニルピロリドンの濃度が３３ｗｔ％以上であって、該中空糸膜の血漿総蛋白の吸着量が０．４５ｇ／ｍ２以下であり、且つ、該膜のＩｇＧの透過率が６５％以上、フィブリノーゲンの透過率が２０％未満である事を特徴とする中空糸型血漿成分分離器。
（２）ポリビニルピロリドンの少なくとも一部が不溶化されている上記（１）に記載の中空糸型血漿成分分離器。
（３）中空糸膜の内径が１９０μｍ以上２３０μｍ以下であり、且つ、牛血漿の限外濾過率（ＵＦＲ）が１５〜８０ｍｌ／ｈｒ・ｍ２・ｍｍＨｇである事を特徴とする上記（１）または（２）に記載の中空糸型血漿成分分離器。
（４）膜面積が１．５〜３．０ｍ２であることを特徴とする上記（１）〜（３）のいずれかに記載の中空糸型血漿成分分離器。
（５）中空糸型血漿成分分離器によってディスカード法により牛血漿の濾過実験を行った時、牛血漿を４リットル処理した際のＩｇＧの透過率が６０％以上、フィブリノーゲンの透過率が２０％未満である事を特徴とする上記（１）〜（４）のいずれかに記載の中空糸型血漿成分分離器。
（６）ディスカード法により牛血漿の濾過実験を行った時、牛血漿を４リットル処理した際の膜間圧力差の上昇が５０ｍｍＨｇ以下である事を特徴とする上記（１）〜（５）のいずれかに記載の中空糸型血漿成分分離器。
（７）中空糸型血漿成分分離器によってストップエンド法により牛血漿の濾過実験を行った時、牛血漿を４リットル処理した際のＩｇＧの透過率が４０％以上、フィブリノーゲンの透過率が２０％未満である事を特徴とする上記（１）〜（６）のいずれかに記載の中空糸型血漿成分分離器。
【手続補正３】
【補正対象書類名】明細書
【補正対象項目名】００５９
【補正方法】変更
【補正の内容】
【００５９】
【表２】
2005261601.tif 000001